(57)【要約】【課題】回路遮断器を大型化することなく、ハンドルを確実にロック可能な回路遮断器におけるハンドルロック構造を提供する。【解決手段】ハンドル２の摘み部２ａにロック孔２０を形成する。また、本体ケース１ａの開口部５縁に当接して、ハンドル２の回路開閉操作を禁止する基台３ａと、摘み部２ａが嵌入可能な嵌合部３ｂとを有するロック部材３において、嵌合部３ｂに、摘み部２ａの嵌入状態においてロック孔２０を露出させる切り欠き７、８を設ける。そして、当該ロック部材３を装着し、切り欠き７、８内に露出しているロック孔２０に鍵をかけることで、ハンドル２を確実にロック可能とした。【選択図】図４
2010160924.tif 000002
【特許請求の範囲】
【請求項１】
回路を開閉するためのハンドルが、本体ケースに開設された開口から摘み部を突出して備えられた回路遮断器において、前記ハンドルの回路開閉操作をロックするためのハンドルロック構造であって、
前記摘み部に、貫通孔を形成する一方、
前記摘み部が嵌入可能で、且つ、嵌入状態において前記貫通孔を露出する孔露出部を備えた嵌合部と、前記嵌合部と一体的に設けられ、前記嵌合部に前記摘み部を嵌入した状態において前記本体ケースに当接し、前記ハンドルの回路開閉操作方向への作動を禁止する基台とからなるロック部材を前記ハンドルに装着し、前記孔露出部内へ露出している前記貫通孔に鍵を施錠することにより前記ハンドルをロック可能としたことを特徴とする回路遮断器におけるハンドルロック構造。
【請求項２】
前記孔露出部に、前記嵌合部の前記摘み部への嵌入状態において前記貫通孔に掛止する掛止部を設ける一方、前記掛止部を除去することにより前記貫通孔を露出可能としたことを特徴とする請求項１に記載の回路遮断器におけるハンドルロック構造。
【請求項３】
前記孔露出部に、前記嵌合部の前記摘み部への嵌入状態において前記貫通孔に掛止する掛止部を設ける一方、前記掛止部を、前記貫通孔に掛止する掛止位置と、前記貫通孔を露出する露出位置とに動作可能としたことを特徴とする請求項１に記載の回路遮断器におけるハンドルロック構造。
【請求項４】
前記基台が、前記開口縁に当接して前記ハンドルの回路開閉操作方向への作動を禁止するとともに、当該基台の前記開口に当接する端面に、装着状態において前記開口縁から前記本体ケース内部へ潜り込む係止片を設けたことを特徴とする請求項１〜３の何れかに記載の回路遮断器におけるハンドルロック構造。
【発明の詳細な説明】
【技術分野】
【０００１】
本発明は、たとえば分電盤の内部等に設置される回路遮断器が有する回路開閉用のハンドルをロックするためのハンドルロック構造に関するものである。
【背景技術】
【０００２】
従来、回路遮断器に備えられた回路開閉用のハンドルをロックするためのハンドルロック構造としては種々の構造が考案されている。たとえば特許文献１に記載のハンドルロック構造では、ハンドルにキャップを被せることでハンドルをロックするようになっている。また、特許文献２に記載のハンドルロック構造では、ハンドルに近接してプレートを設け、当該プレートに南京錠をかけることでハンドルの作動を防止するようになっている。
【先行技術文献】
【特許文献】
【０００３】
【特許文献１】特開２００２−１６３９６９号公報
【特許文献２】特開２００８−１８６６４４号公報
【発明の概要】
【発明が解決しようとする課題】
【０００４】
しかしながら、特許文献１に記載のハンドルロック構造では、キャップを外すだけでロックが解除されるため、作業者以外の者による誤操作を完全には防止できないという問題がある。また、特許文献２に記載のハンドルロック構造では、回路遮断器のケースに南京錠をかけるためのプレートを設けなければならないため、回路遮断器の大型化を招くし、分電盤内等の限られたスペースに複数並設する際、プレートが邪魔になる事態も起こり得る。
【０００５】
そこで、本発明は、上記問題に鑑みなされたものであって、回路遮断器を大型化することなく、ハンドルを確実にロック可能な回路遮断器におけるハンドルロック構造を提供しようとするものである。
【課題を解決するための手段】
【０００６】
上記課題を達成するために、本発明のうち請求項１に記載の発明は、回路を開閉するためのハンドルが、本体ケースに開設された開口から摘み部を突出して備えられた回路遮断器において、前記ハンドルの回路開閉操作をロックするためのハンドルロック構造であって、前記摘み部に、貫通孔を形成する一方、前記摘み部が嵌入可能で、且つ、嵌入状態において前記貫通孔を露出させる孔露出部を備えた嵌合部と、前記嵌合部と一体的に設けられ、前記嵌合部に前記摘み部を嵌入した状態において前記本体ケースに当接し、前記ハンドルの回路開閉操作方向への作動を禁止する基台とからなるロック部材を前記ハンドルに装着し、前記孔露出部内へ露出している前記貫通孔に鍵を施錠することにより前記ハンドルをロック可能としたことを特徴とする。
請求項２に記載の発明は、請求項１に記載の発明において、前記孔露出部に、前記嵌合部の前記摘み部への嵌入状態において前記貫通孔に掛止する掛止部を設ける一方、前記掛止部を除去することにより前記貫通孔を露出可能としたことを特徴とする。
請求項３に記載の発明は、請求項１に記載の発明において、前記孔露出部に、前記嵌合部の前記摘み部への嵌入状態において前記貫通孔に掛止する掛止部を設ける一方、前記掛止部を、前記貫通孔に掛止する掛止位置と、前記貫通孔を露出する露出位置とに動作可能としたことを特徴とする。
請求項４に記載の発明は、請求項１〜３の何れかに記載の発明において、前記基台が、前記開口縁に当接して前記ハンドルの回路開閉操作方向への作動を禁止するとともに、当該基台の前記開口に当接する端面に、装着状態において前記開口縁から前記本体ケース内部へ潜り込む係止片を設けたことを特徴とする。
【発明の効果】
【０００７】
本発明によれば、ハンドルの摘み部に貫通孔を形成する一方、嵌合部と基台とからなるロック部材の嵌合部に貫通孔を露出させる孔露出部を設け、ロック部材の装着状態において、孔露出部内に露出している貫通孔へ鍵をかけることで、ロック部材の取り外し、すなわち鍵を用いたハンドルの確実なロックを可能としている。したがって、従来の如く、本体ケースに鍵をかけるためのプレート等を設ける必要がなく、回路遮断器を余計な突出部分のないコンパクトな形に形成することができる。
また、請求項２及び３に記載の発明によれば、孔露出部内に、嵌合部の摘み部への嵌入状態において貫通孔に掛止する掛止部を設けている。したがって、摘み部を嵌合部内へ嵌入させただけで、ロック部材の不用意な脱落を防止することができる。加えて、鍵を用いたい場合には、掛止部を除去（請求項２）したり、露出位置へ位置（請求項３）させたりするだけで貫通孔を露出させることができ、使い勝手が良い。
さらに、請求項４に記載の発明によれば、当該基台の開口に当接する端面に、装着状態において開口縁から本体ケース内部へ潜り込む係止片を設けているため、当該係止片によってもロック部材の装着状態が維持され、ロック部材の不用意な脱落をより確実に防止することができる。
【図面の簡単な説明】
【０００８】
【図１】回路遮断器及びハンドルに取り付けるロック部材の外観を示した斜視説明図である。
【図２】回路遮断器及びロック部材の断面説明図である。
【図３】ロック部材をハンドルに取り付けた状態を示した説明図である。
【図４】ハンドルを鍵によりロックした状態を示した斜視説明図である。
【図５】鍵によりロックした状態における回路遮断器の断面説明図である。
【発明を実施するための形態】
【０００９】
以下、本発明の一実施形態となる回路遮断器におけるハンドルロック構造について、図面をもとに説明する。
【００１０】
図１は、回路遮断器１及びハンドル２に取り付けるロック部材３の外観を示した斜視説明図であり、図２は、回路遮断器１及びロック部材３の断面説明図である。また、図３は、ロック部材３をハンドル２に取り付けた状態を示した説明図である。さらに、図４は、ハンドル２を鍵４によりロックした状態を示した斜視説明図であり、図５は、鍵４によりロックした状態における回路遮断器１の断面説明図である。尚、図２や図５における左右方向を回路遮断器１の前後方向とし、左方を前方とする。
回路遮断器１は、本体ケース１ａ内に遮断機構を内蔵してなるものであって、本体ケース１ａの上面には開口部５が設けられており、回路開閉用のハンドル２の摘み部２ａが開口部５から突出して設けられている。そして、摘み部２ａには、その前面から後面にかけて貫通するロック孔（貫通孔）２０が設けられている。
【００１１】
一方、３は、開位置若しくは閉位置にあるハンドル２に上方から被せるように取り付けられ、ハンドル２を当該位置から操作できないようにするためのロック部材である。ロック部材３は、合成樹脂をキャップ状に成形してなるもので、平面視が開口部５と略同形状とされた基台３ａと、基台３ａから上方へ突設された嵌合部３ｂとを備えている。そして、基台３ａの後端面には、開口部５縁の下側に潜り込んで本体ケース１ａに係止する係止片６が後方へ突設されている。また、嵌合部３ｂは、ハンドル２の摘み部２ａが嵌入可能な筒状に形成されており、嵌合部３ｂの前面には、上方に開口するＵ字状の切り欠き（孔露出部）７が設けられ、ロック部材３のハンドル２への被着状態においてロック孔２０を露出させるようになっている。さらに、嵌合部３ｂの後面にも、上方に開口するＵ字状の切り欠き（孔露出部）８が設けられており、当該切り欠き８内には、上方へ突出する掛止片（掛止部）９が一体的に設けられている。掛止片９は、嵌合部３ａの後面よりも薄肉に形成されており、指等により簡単に折り取り可能となっている。また、掛止片９の前面には、ロック部材３のハンドル２への被着状態においてロック孔２０に掛止する爪部９ａが設けられている。尚、掛止片９を除去すると、切り欠き７同様、切り欠き８内にロック孔２０が露出することになる。
【００１２】
ここで、上述したようなロック部材３によるハンドル２のロックについて説明する。
回路遮断器１の設置作業や点検作業に伴ってハンドル２を一時的にロックしたい場合等には、所定位置（開位置若しくは閉位置）にあるハンドル２に対し、係止片６を開口部５縁の下側へ潜り込ませながら、掛止片９がロック孔２０に掛止するまで嵌合部３ｂ内へ摘み部２ａを嵌入させて、ロック部材３を被着する（図３）。すると、ロック部材３の前端面及び後端面が開口部５の前後縁に当接し、ハンドル２が所定位置でロック、すなわちハンドル２の開閉操作が禁止される。一方、ハンドル２をアンロックしたい場合には、掛止片９を指等により湾曲させて掛止片９とロック孔２０との掛止を解除とし、ロック部材３をハンドル２から取り外せばよい。尚、ハンドル２への被着状態にあるロック部材３は、係止片６の係止及び掛止片９の掛止により当該被着状態が維持されており、不用意に脱落しないようになっている。
【００１３】
また、回路遮断器１の設置作業や点検作業の終了に伴い、ハンドル２を完全にロックしたい場合等には、ハンドル２へ被着状態にあるロック部材３の掛止片９を折り取る等して除去し、切り欠き７、８内に露出しているロック孔２０を利用して南京錠等の鍵４をかければよい（図４及び５）。すると、ロック部材３のハンドル２からの取り外しが不可能となり、鍵４を外さない限り、ハンドル２はロック部材３が被着された位置で完全にロックされることになる。
【００１４】
以上、回路遮断器１におけるハンドル２のロック構造によれば、ロック部材３をハンドル２に被着するとともに、当該被着状態から掛止片９を除去し、ロック孔２０に鍵４をかけることで、鍵４によるハンドルロックが可能となる。つまり、本体ケース１ａにハンドル２をロックするためのプレート等を設けることなく、鍵４を用いた確実なロックが可能であり、回路遮断器１を余計な突出部分のないコンパクトな形に形成することができる。
また、ロック部材３を合成樹脂製とするとともに掛止片９を薄肉に形成しているため、工具等を用いずとも掛止片９の除去が可能であり、ハンドル２のロック作業を容易に行うことができる。
【００１５】
さらに、ロック部材３をハンドル２に被着するだけでもハンドル２のロックは可能であり、ハンドル２のロック／アンロックを容易に行うことができる。
加えて、ロック部材３に、ハンドル２への被着状態において開口部５縁に潜り込む係止片６、及びロック孔２０に掛止する掛止片９を設けているため、係止片６の係止及び掛止片９の掛止によりハンドル２への被着状態を維持することができ、ロック部材３の不用意な脱落を防止することができる。
【００１６】
なお、本発明の回路遮断器におけるハンドルロック構造係る構成は、上記実施形態の態様に何ら限定されるものではなく、ロック部材の構成等を、本発明の趣旨を逸脱しない範囲で適宜変更することができる。
【００１７】
たとえば、上記実施形態ではロック部材３に掛止片９を設けているが、必ずしも掛止片９を設ける必要はなく、嵌合部３ｂの前面には切り欠き８しか設けない構成としてもよい。また、上記実施形態では掛止片９を折り取る等して除去することによりロック孔２０を露出させるようにしているが、掛止片９をロック孔２０を露出させる露出位置とロック孔２０に掛止する掛止位置とに動作可能に設ける構成としてもよい。たとえば、起立／横倒可能に設け、基台３ａ上面側へ折り曲げる等して倒すことによりロック孔２０を露出させ、また鍵４を外した後には、掛止片９を起立させればロック孔２０に掛止可能な当初の状態に戻るといった構成が考えられる。さらに、係止片６の有無についても適宜設計変更可能であるし、ロック部材３の前後端面が開口部５縁に当接してハンドル２の開閉動作を禁止するのではなく、本体ケース１ａの他の部に係止してハンドル２の開閉操作を禁止するように構成しても何ら問題はない。
【符号の説明】
【００１８】
１・・回路遮断器、２・・ハンドル、３・・ロック部材、３ａ・・基台、３ｂ・・嵌合部、４・・鍵、５・・開口部、６・・係止片、７、８・・切り欠き、９・・掛止片、９ａ・・爪部、２０・・ロック孔。
【図１】
2010160924.tif 000003
【図２】
2010160924.tif 000004
【図３】
2010160924.tif 000005
【図４】
2010160924.tif 000006
【図５】
2010160924.tif 000007